(57)【特許請求の範囲】
【請求項１】
リモコンと、
羽根と、
前記羽根を駆動する電動機と、
前記電動機を支持する支柱およびベース部と、
前記羽根の後方に配置され、前記電動機をカバーする電動機カバーと、を有する扇風機であって、
前記電動機カバーには、その内部にスペースが存在する部位の外周面に、その表面より凹陥させて前記リモコンを収納するためのリモコン収納部が設けられていることを特徴とする扇風機。
【請求項２】
前記リモコン収納部の内壁面の少なくとも１面に、複数のガイドリブが設けられており、これら複数のガイドリブとこれに対向する壁面との間にリモコンを挟み込んで保持できるようになっていることを特徴とする請求項１記載の扇風機。
【請求項３】
前記電動機カバーは、円筒状に形成されているとともに、前記リモコンは、矩形状に形成されており、更に前記リモコン収納部の深さ方向寸法は、前記リモコンの寸法であって、前記リモコンが収納される方向の寸法とほぼ一致するように設定されており、
前記リモコンが、前記リモコン収納部の深さ方向と前記リモコンが収納される方向とを一致させて、前記リモコン収納部に収納された場合、前記リモコンの両角が前記リモコン収納部から突出することを特徴とする請求項１又は請求項２記載の扇風機。
【請求項４】
前記電動機カバーは、有底円筒状の前カバーと後カバーとで形成されているとともに、前記リモコン収納部の内壁面の１面は、前記後カバーの底壁で構成され、該底壁に、前記複数のガイドリブが設けられていることを特徴とする請求項２又は請求項３記載の扇風機。
【請求項５】
前記後カバーの底壁は、内側が凸の皿状に形成されていることを特徴とする請求項４記載の扇風機。
【請求項６】
前記リモコン収納部は、前記電動機カバーの背面側に設けられることを特徴とする請求項１〜５のいずれか一項に記載の扇風機。
【請求項７】
前記複数のガイドリブは、前記リモコン収納部の深さ方向に延びて設けられていることを特徴とする請求項２記載の扇風機。
【発明の詳細な説明】
【技術分野】
【０００１】
本発明は、リモコンを有し、床に置いて使用される扇風機に関する。
【背景技術】
【０００２】
最近の扇風機では、使い勝手を良くするために、リモコンを備えたものが多い。リモコンは、離れた場所から操作するのに使われるので、使用時は手元にあることが一般的である。また、リモコンの取り出しや収納作業は、運転開始または運転停止のときが多いので、リモコン収納部は、しゃがむことなく出し入れできる上方部で、かつ、収納時は見え難い背面側に設ける方が望ましい。
【０００３】
また、扇風機は、一般にリビングに置かれるので、デザインが重視される傾向が強くなってきている。特に、電動機カバー等の外郭部品は、強調されたデザインが採用され、その結果、内蔵物より大き目に設計される傾向にある。そのため、電動機カバー内部には、デッドスペースができ、無駄となっている。
【０００４】
扇風機には、リモコンの紛失防止のため、別体からなるリモコンホルダーが扇風機の支柱に取り付けられ、そこにリモコンが収められることが多い（例えば、特許文献１参照）。
【先行技術文献】
【特許文献】
【０００５】
【特許文献１】特開２００３−２９３９８３号公報（図１）
【発明の概要】
【発明が解決しようとする課題】
【０００６】
近年の、リモコンを備えた扇風機は、特許文献１のように別体からなるリモコンホルダーが扇風機の支柱に取り付けられ、そこにリモコンが収められるようになっており、リモコンホルダーそのものは、支柱への取り付け位置を上下方向で変更可能となっている。しかし、扇風機には、支柱の上部前方に羽根を囲むように保護ガードが設けられており、この保護ガードがリモコン取り出しや収納時の邪魔となるので、リモコンホルダーを支柱の上部に配置することはできない。そのため、リモコンホルダーを比較的低位置に配置せざるを得ず、別部材からなる専用のリモコンホルダーを取付位置変更可能に設けている割には、リモコン取り出しや収納時にかがみ込む姿勢をとらざるを得ないなど、作業性が悪いという難点があった。
【０００７】
また、別のリモコン収納方式として、リモコンホルダーを電動機カバーのハンドルに引掛けるタイプも存在するが、この方式でも同様に別部材からなる専用の部品が必要となる。なお、このリモコンホルダーをハンドルに引掛ける取付方式のものにおいては、リモコン収納部が上方に配置されるので、リモコンの取り出しや収納作業時の姿勢は楽になる。しかし、リモコンホルダーを電動機カバーの横にぶら下げる形態のものにあっては、デザイン性が失われてしまう。さらに、ぶら下げられて不安定な状態にあるリモコンホルダーへの出し入れとなり、作業性が悪いという課題は残されたままであった。
【０００８】
本発明は、以上のような課題のうち少なくとも一つを解決するためになされたもので、リモコンを収納するための専用の部品を不要とし、部品点数を削減できるようにすることを目的としている。
【課題を解決するための手段】
【０００９】
本発明に係る扇風機は、リモコンと、羽根と、羽根を駆動する電動機と、電動機を支持する支柱およびベース部と、羽根の後方に配置され、電動機をカバーする電動機カバーと、を有する扇風機であって、電動機カバーには、その内部にスペースが存在する部位の外周面に、その表面より凹陥させてリモコンを収納するためのリモコン収納部が設けられているものである。
【発明の効果】
【００１０】
本発明に係る扇風機においては、電動機カバーとリモコン収納部が一体であるため、リモコンを収納するための専用の部品が不要となり、部品点数を削減でき、コスト低減が可能となる。
【図面の簡単な説明】
【００１１】
【図１】本発明の実施形態に係る扇風機の全体構成を示す斜視図である。
【図２】本発明の実施形態に係る扇風機の全体構成を示す側面図である。
【図３】本発明の実施形態に係る扇風機の羽根及び保護ガードを含む電動機部全体の構成を示す断面図である。
【図４】本発明の実施形態に係る扇風機の電動機カバーのリモコン収納部にリモコンを収めた状態を示す右側面視の断面図である。
【図５】本発明の実施形態に係る扇風機の電動機カバーの前カバーを示す斜視図である。
【図６】本発明の実施形態に係る扇風機の電動機カバーの後カバーを示す斜視図である。
【図７】本発明の実施形態に係る扇風機の電動機カバーの前カバーの右側面視の断面図と後カバーとの付合せ部の拡大図である。
【図８】本発明の実施形態に係る扇風機の電動機カバーの後カバーの右側面視の断面図と前カバーとの付合せ部の拡大図である。
【図９】本発明の実施形態に係る扇風機の電動機カバーのリモコン収納部にリモコンを収めた状態を示す背面図である。
【図１０】本発明の実施形態に係る扇風機の電動機カバーのリモコン収納部にリモコンを収めた状態を示す上面図である。
【図１１】本発明の実施形態に係る扇風機の電動機カバーの前カバーと後カバーとの付合せ部を更に拡大して示す斜視断面図である。
【図１２】本発明の実施形態に係る扇風機の電動機カバーの前カバーと後カバーとの付合せ部を更に拡大して示す分解斜視断面図である。
【発明を実施するための形態】
【００１２】
図１は本発明の実施形態に係る扇風機の全体構成を示す斜視図である。図２は本発明の実施形態に係る扇風機の全体構成を示す側面図である。
本発明の実施形態に係る扇風機１００は、図１乃至図４のように操作部２３を設けたベース部２２に直立させて支柱２１が設けられ、その上に羽根１２と手が直接触れないようにするための保護ガード１１と、電動機１を保護するための電動機カバー２０が配置されている。電動機カバー２０には、背面側にリモコン３０を収納できるリモコン収納部６ｃが設けられている。リモコン３０は、左右対称となる矩形状に形成されている。
【００１３】
図３は本発明の実施形態に係る扇風機の羽根及び保護ガードを含む電動機部全体の構成を示す断面図である。図４は本発明の実施形態に係る扇風機の電動機カバーのリモコン収納部にリモコンを収めた状態を示す右側面視の断面図である。図５は本発明の実施形態に係る扇風機の電動機カバーの前カバーを示す斜視図である。図６は本発明の実施形態に係る扇風機の電動機カバーの後カバーを示す斜視図である。図７は本発明の実施形態に係る扇風機の電動機カバーの前カバーの右側面視の断面図と後カバーとの付合せ部の拡大図である。図８は本発明の実施形態に係る扇風機の電動機カバーの後カバーの右側面視の断面図と前カバーとの付合せ部の拡大図である。
電動機カバー２０は、図３及び図４のように有底円筒状の前カバー２と後カバー６とで形成され、これら前カバー２と後カバー６とが互いの開口側端部を付き合わされた状態で分離可能に結合されている。前カバー２と後カバー６は、それぞれ付合せ部に対し反対側が面形状となっており、これらの面で、前カバー２は電動機１に、後カバー６はギアボックス（首振り機構部）８に、それぞれ固定されている。すなわち、前カバー２は、図３及び図５のように底部側に前カバー固定用雄ねじ９が挿通する電動機固定用穴２ｂと保護ガード固定用雄ねじ部２ａとを有し、電動機固定用穴２ｂに差し込まれた前カバー固定用雄ねじ９により電動機１に固定されているとともに、羽根１２を囲む保護ガード１１が保護ガード固定用雄ねじ部２ａに固定されるようになっている。また、後カバー６は、図３、図４及び図８のように後カバー固定用穴６ｆに挿入されてギアボックス８側のねじ穴に止着される後カバー固定用雄ねじ１０により固定されている。また、後カバー６には、図３、図４、図６、及び図８のようにその内部にデッドスペース６ａが存在する部位の外周面に、その表面より凹陥させて、矩形状のリモコン３０を収納するためのリモコン収納部６ｃが設けられている。また、前カバー２には、図３〜図５及び図７のように持ち手５が設けられており、前カバー２と後カバー６との付合せ部は、平面的に見て持ち手５によって覆われるようになっている。
【００１４】
リモコン収納部６ｃは、その内壁面の１面が、後カバー６の底壁６ｅで構成され、この底壁６ｅでなるリモコン収納部内面に、深さ方向に延びる複数条のガイドリブ６ｂが設けられていて、これら複数のガイドリブ６ｂとこれに対向する壁面６ｇとの間にリモコン３０を挟み込んで保持できるようになっている。
【００１５】
後カバー６の底壁６ｅは、図８のように内側に凸に湾曲する皿状に形成されている。
これによって、意匠性を損なうことのない形状で強度が確保でき、かつ金型が複雑にならず、コストを抑えることができる。
【００１６】
また、リモコン収納部６ｃの深さ方向寸法は、矩形状のリモコン３０の短手方向寸法とほぼ一致するように設定されている。
【００１７】
図９は本発明の実施形態に係る扇風機の電動機カバーのリモコン収納部にリモコンを収めた状態を示す背面図である。図１０は本発明の実施形態に係る扇風機の電動機カバーのリモコン収納部にリモコンを収めた状態を示す上面図である。
既述したように後カバー６は有底円筒状に構成され、リモコン３０は左右対称となる矩形状に形成され、リモコン収納部６ｃの深さ方向寸法は、矩形状のリモコン３０の短手方向寸法とほぼ一致するように設定されている。このため、リモコン収納部６ｃにリモコン３０を収納すると、図９及び図１０のようにリモコン３０が殆ど見えなくなり、見栄えが良くなる。また、リモコン取り出し時は、リモコン３０の両角が収納部から出ているので、両角部を指でつまんで簡単に取り出すことができる。
【００１８】
次に、前カバー２と後カバー６との付合せ部の詳細について図１１及び図１２により前記図６乃至図８を参照しながら説明する。図１１は本発明の実施形態に係る扇風機の電動機カバーの前カバーと後カバーとの付合せ部を更に拡大して示す斜視断面図である。図１２は本発明の実施形態に係る扇風機の電動機カバーの前カバーと後カバーとの付合せ部を更に拡大して示す分解斜視断面図である。
後カバー６の付合せ部には、図１１及び図１２のように前カバー２の開口側端部４が嵌入可能な円弧状フランジ７が外側に突出して形成され、円弧状フランジ７の端面に、円弧の内側エッジが鋭角となるテーパー７ａが形成されている。また、前カバー２の後カバー６との付合せ部には、円弧状フランジ７の端部が当接可能なフランジ３が外側に突出して形成され、このフランジ３の円弧状フランジ７の端部が当接可能な端面に、円弧状フランジ７のテーパー７ａと合致するテーパー溝３ａが設けられている。
【００１９】
したがって、前カバー２と後カバー６とを付合せてこれらを結合した際に、後カバー６の円弧状フランジ７の端部のテーパー７ａが、前カバー２のフランジ３のテーパー溝３ａ内に嵌入して、前カバー２のフランジ３と開口側端部４との間に挟まれて拘束され、前カバー２と後カバー６との付合せ部が一体化される。このため、電動機カバー２０に設けられた持ち手５で製品を持ち上げた際に、荷重により、円弧状フランジ７内に嵌入している前カバー２の開口側端部４が上方向、つまり持ち上げられる方向に変形しても、円弧状フランジ７もそれに伴って上側に押し上げられ、これらが一体となった変形をし、互いの付合せ部にずれが発生したり、外れに至ることが防止される。
【００２０】
また、後カバー６の円弧状フランジ７と前カバー２のフランジ３は、それぞれ外側に突出させて形成してあるため、付合せ部が変形する方向（筒の径方向）の厚みが増し、これにより強度アップが図れ、変形自体も小さく抑えることができる。さらに、この効果は、前述のフランジ３のテーパー溝３ａによる円弧状フランジ７のテーパー７ａの拘束効果と相俟って、持ち手５の強度を高め、持ち手５で製品を持ち上げた際の持ち手５の変形も小さく抑えることができる。このため、持ち手５付近を内蔵物にねじ固定等することなく強度を確保することが可能となる。さらに、外側に突出して形成されている円弧状フランジ７やフランジ３が、平面的に見て持ち手５によって覆われ、目立たなくなるので、意匠性を損なうことなく強度確保ができ、設計の自由度も増す。
【００２１】
また、製品が後方に転倒した場合は、後カバー６が前カバー２側に強く押し付けられる衝撃が発生するが、既述したように後カバー６の円弧状フランジ７の端部のテーパー７ａが、前カバー２のフランジ３のテーパー溝３ａ内に嵌入して、前カバー２のフランジ３と開口側端部４との間に挟まれて拘束されているので、後カバー６が前カバー２の内側に入り込む、あるいは、後カバー６が前カバー２の外側に外れることが防止される。また、この時、後カバー６の内部にデッドスペース６ａが存在する部位の外周面に、その表面より凹陥させて設けられたリモコン収納部６ｃに収納されているリモコン３０も、後カバー６により保護される。
【００２２】
同様の効果は、前後カバー２，６の結合部付近で、中に収められた電動機１あるいはギアボックス（首振り機構部）８などに機械的に固定することで得られるが、このような構造では、一方に閉じられた面を持つ有底円筒状の前カバー２および後カバー６の開口部側に固定構造を形成する必要があり、金型構造の複雑化、金型コストの増大、組立ての複雑化、部品コストの増大、を伴い生産性が悪くなる。前述のような構成とすることで、有底円筒状の前カバー２および後カバー６の開口部側に固定構造を形成する必要がなく、従来と同じコスト、組立て性を実現した上で強度を確保することができる。
【００２３】
本発明の実施形態に係る扇風機１００は、以上のように構成されているので、電動機カバー２０とリモコン収納部６ｃが一体となり、リモコンを収納するための専用の部品が不要となり、部品点数を削減でき、コスト低減が可能となる。また、リモコン収納部６ｃが、電動機カバー２０の内部にスペースが存在する部位の外周面に、その表面より凹陥させて設けられているので、収納されるリモコン３０だけでなく、リモコン収納部６ｃも露出部が少なくなり、その分、意匠性を確保することができる。更に、リモコン収納部６ｃが支柱２１よりも上方に配置されるので、リモコン３０の出し入れが容易となり、作業性が向上する。
【符号の説明】
【００２４】
１  電動機、２  前カバー、２ａ  保護ガード固定用雄ねじ部、２ｂ  電動機固定用穴、３  フランジ、３ａ  テーパー溝、４  開口側端部、５  持ち手、６  後カバー、６ａ  デッドスペース（スペース）、６ｂ  ガイドリブ、６ｃ  リモコン収納部、６ｅ  底壁、６ｆ  後カバー固定用穴、６ｇ  壁面、７  円弧状フランジ、７ａ  テーパー、８  ギアボックス（首振り機構部）、９  前カバー固定用雄ねじ、１０  後カバー固定用雄ねじ、１１  保護ガード、１２  羽根、２０  電動機カバー、２１  支柱、２２  ベース部、２３  操作部、３０  リモコン、１００  扇風機。
【図１】
0005693500.tif 000002
【図２】
0005693500.tif 000003
【図３】
0005693500.tif 000004
【図４】
0005693500.tif 000005
【図５】
0005693500.tif 000006
【図６】
0005693500.tif 000007
【図７】
0005693500.tif 000008
【図８】
0005693500.tif 000009
【図９】
0005693500.tif 000010
【図１０】
0005693500.tif 000011
【図１１】
0005693500.tif 000012
【図１２】
0005693500.tif 000013